(57)【要約】【課題】塵埃吸引力の調整作業を容易にできる排塵装置。【解決手段】排塵装置１０は、風選箱３４と、多孔ダクト４４と、排塵ダクト４８と、吸引ブロワ５０と、排出ホース５４とを備える。吸引ブロワ５０による塵埃吸引力の調整作業では、作業者は、排塵ダクト４８を多孔ダクト４４の軸方向に沿って移動させて多孔ダクト４４の開口部４６の開口面積（露出量）を調整することで、穀物混入がない状態で最大の塵埃吸引力を発生させるような塵埃吸引力を求める。ここで、風選箱３４の正面壁３４Ｃが透明であるので、作業者は、吸引ブロワ５０による塵埃の吸引状態を、屋外の排出ホース５４の排出口５８で確認しなくても、屋内の風選箱３４の正面壁３４Ｃを通して風選箱３４の内部を確認することで容易に把握できる。このため、吸引ブロワ５０による塵埃吸引力の調整作業が容易となる。【選択図】図４
2008051385.tif 000002
【特許請求の範囲】
【請求項１】
穀物乾燥装置の内部で穀物が搬送される連通路と連通し、塵埃を前記連通路から外部へ排出するための排塵通路と、
前記排塵通路に設けられ、前記連通路から前記塵埃を吸引して外部に排出する吸引排出手段と、
前記吸引排出手段による前記塵埃の吸引力を調整する吸引力調整手段と、
少なくとも一部が光透過性を有し、前記排塵通路において前記吸引排出手段と前記連通路との間で前記吸引力調整手段の近傍に設けられ、内部に塵埃通過用の屈曲案内路を有し、前記吸引排出手段による前記塵埃の吸引状態が前記光透過性を有する部分を介して観察可能とされた風選箱と、
を備えた排塵装置。
【発明の詳細な説明】
【技術分野】
【０００１】
本発明は、穀物乾燥機の機体に取り付けられる排塵装置に関する。
【背景技術】
【０００２】
穀物乾燥機内で搬送される穀物から浮遊分離した塵埃を吸引して外部へ排出する排塵装置が提案されている（特許文献１）。
【０００３】
特許文献１に開示されている排塵装置は、穀粒乾燥機（穀物乾燥機）に取り付けられており、この排塵装置は、穀粒乾燥機の機体内部に設けられた搬送樋を流れる穀粒（穀物）から排塵ブロワーで塵埃を吸引して外部に排出する。
【０００４】
ところで、このような排塵装置では、排塵ブロワーによる塵埃吸引力の調整作業が必要である。塵埃吸引力の調整作業では、作業者は排塵パイプの排出口（排塵パイプの先端部）から排出される塵埃の中に穀粒が混ざっているかいないかを確認する。排塵パイプの排出口から排出された塵埃の中に穀粒が混ざっていた場合には、排塵パイプの基端部と連結されている調節筒の吸引口の開口面積（吸引口の露出量）を増加させて、排塵装置の塵埃吸引力を弱める。一方、排塵パイプの排出口から排出される塵埃の中に穀粒が混ざっていなかった場合には、調節筒の吸引口の開口面積を減少させて、排塵装置の塵埃吸引力を強める。このような調整作業を繰り返しながら、穀物混入がない状態で最大の塵埃吸引力を発生させるような吸引口の開口面積を求める作業が必要になる。
【０００５】
しかしながら、排塵装置の調節筒は穀粒乾燥機が設置されている建物の内部に配置されており、その一方で排塵パイプの排出口が建物の外部に配置されているため、作業者は、建物の内部と外部とを行き来して、排塵装置の塵埃吸引力が所望の吸引力となるまで、調節筒に設けられた吸引口の開口面積の調整を繰り返さなければならなかった。このため、塵埃の吸引力の調整作業が面倒であった。
【特許文献１】特開平９−１１３１３５号公報
【発明の開示】
【発明が解決しようとする課題】
【０００６】
本発明は、上記問題点に鑑み、塵埃吸引力の調整作業を容易にできる排塵装置を得ることを目的とする。
【課題を解決するための手段】
【０００７】
請求項１に記載の発明は、穀物乾燥装置の内部で穀物が搬送される連通路と連通し、塵埃を前記連通路から外部へ排出するための排塵通路と、前記排塵通路に設けられ、前記連通路から前記塵埃を吸引して外部に排出する吸引排出手段と、前記吸引排出手段による前記塵埃の吸引力を調整する吸引力調整手段と、少なくとも一部が光透過性を有し、前記排塵通路において前記吸引排出手段と前記連通路との間で前記吸引力調整手段の近傍に設けられ、内部に塵埃通過用の屈曲案内路を有し、前記吸引排出手段による前記塵埃の吸引状態が前記光透過性を有する部分を介して観察可能とされた風選箱と、を備えている。
【０００８】
請求項１に記載の発明では、作業者は、風選箱の光透過性を有する部分を介して、吸引排出手段による塵埃の吸引状態を観察することができる。しかも、この風選箱は、吸引力調整手段の近傍に設けられているので、作業者は、吸引排出手段による塵埃の吸引状態を風選箱で観察しながら吸引排出手段による塵埃の吸引力を吸引力調整手段で調整することができる。このため、作業者は、吸引排出手段による塵埃の吸引力の調整を容易にできる。
【０００９】
また、吸引排出手段によって連通路から吸引される塵埃は、風選箱内の屈曲案内路を通過する。このとき、仮に穀物が吸引排出手段の吸引力によって塵埃と一緒に屈曲案内路を通過しようとしても、穀物は屈曲案内路を通過することが困難である。このため、穀物が穀物乾燥装置の外部に排出されることを抑制できる。このように、穀物と塵埃とが屈曲案内路によって分離されるので、吸引排出手段による塵埃の吸引力をより強く設定できる。
【発明の効果】
【００１０】
本発明に係る排塵装置は、塵埃吸引力の調整作業を容易にできるという優れた効果を有している。
【発明を実施するための最良の形態】
【００１１】
図１には、本発明の実施の形態に係る排塵装置１０が取り付けられた穀物乾燥装置１２の概略が斜視図にて示されている。また、図２には、排塵装置１０が取り付けられた穀物乾燥装置１２が正断面図にて示されている。また、図３には、排塵装置１０の主要部が断面図にて示されており、図４には、排塵装置１０の主要部が斜視図にて示されている。
【００１２】
まず、穀物乾燥装置１２について説明する。
【００１３】
穀物乾燥装置１２は、穀物（図２及び図３では、符号Ｋで示されている）を機体１４内で循環させながら加熱乾燥させる所謂循環加熱方式の乾燥装置である。この穀物乾燥装置１２は、機体１４の上部に穀物貯留用のタンク１５を有しており、このタンク１５には、乾燥処理対象の穀物Ｋが貯留される。
【００１４】
タンク１５の下方には、乾燥部１７が設けられている。乾燥部１７は、一対の排風路隔壁６４を有している。排風路隔壁６４は通気性を有している。各排風路隔壁６４は、機体１４の前面板１４Ｃと後面板１４Ｄとの間に架け渡されている。各排風路隔壁６４は、機体１４の各側面板（図１及び図２において、右側の側面板１４Ａ及び左側の側面板１４Ｂ）から機体１４の左右方向中央へ向けて下方に傾斜しており、一対の排風路隔壁６４は漏斗状とされている。
【００１５】
これら一対の排風路隔壁６４の機体１４内側には、略菱形筒状の風胴板６６が設けられている。風胴板６６は、通気性を有している。風胴板６６は機体１４の前面板１４Ｃと後面板１４Ｄとの間に架け渡されると共に、風胴板６６の下側は、対向する各排風路隔壁６４に平行とされており、風胴板６６の内部は熱風路６８とされている。熱風路６８に対応して機体１４の前面板１４Ｃには図示しないバーナを内装した火炉ケース１１が取り付けられており、この火炉ケース１１とこれの外気入口１３が熱風路６８に連通している。
【００１６】
風胴板６６の上側と各排風路隔壁６４の上部との間には、略菱形筒状の導風路隔壁７０が設けられている。各導風路隔壁７０は、通気性を有している。各導風路隔壁７０は機体１４の前面板１４Ｃと後面板１４Ｄとの間に架け渡されており、各導風路隔壁７０の内部は導風路７２とされている。各導風路隔壁７０の下側は、対向する各排風路隔壁６４に平行とされると共に、対向する風胴板６６に平行とされている。
【００１７】
風胴板６６の左側方及び右側方には、風胴板６６と導風路隔壁７０との間、導風路隔壁７０と排風路隔壁６４との間、及び、風胴板６６と排風路隔壁６４との間において、穀物流下路７４が形成されている。各穀物流下路７４には、タンク１５内に貯蔵された穀物Ｋが自然流下式に案内される。
【００１８】
以上説明したような乾燥部１７は、穀物流下路７４を通過する穀物Ｋに熱風（図２の矢印Ｗ参照）を当てて加熱乾燥処理を施す。
【００１９】
また、各穀物流下路７４の下端間には、円筒状のシャッタドラム７６が設けられている。シャッタドラム７６は、各穀物流下路７４の下端を略閉塞すると共に、機体１４の前面板１４Ｃと後面板１４Ｄとの間に架け渡されて軸心回りに回転可能とされている。シャッタドラム７６の外周には、軸方向に長尺とされた矩形状のスリット７８が一対形成されており、一方のスリット７８はシャッタドラム７６外周の前側に配置されると共に、他方のスリット７８は、シャッタドラム７６外周の後側かつ一方のスリット７８の周方向反対側に配置されている。ここで、シャッタドラム７６が回転して各スリット７８が各穀物流下路７４の下端に対面することで、各穀物流下路７４内の穀物Ｋが各スリット７８を経てシャッタドラム７６内に流入し、さらにシャッタドラム７６が回転して各スリット７８が下向きとなることで、シャッタドラム７６内に流入した穀物Ｋが下方へ排出される。
【００２０】
一対の排風路隔壁６４の下方には、一対の張込流し板８０が設けられている。各張込流し板８０は、機体１４の前面板１４Ｃと後面板１４Ｄとの間に架け渡されている。一対の張込流し板８０は、それぞれ機体１４の各側面板１４Ａ、１４Ｂから機体１４の左右方向中央へ向けて下方に傾斜されて、漏斗状とされている。また、各張込流し板８０と各排風路隔壁６４との間は排風路８２とされている。
【００２１】
排風路８２に対応して機体１４の後面板１４Ｄには図示しない吸引送風機を内装した排風ダクト２３が取り付けられており、この排風ダクト２３とこれに連なる排風ホース１９が排風路８２に連通している。排風ホース１９は、穀物乾燥装置１２を収容している建物の外壁（図示省略）を貫通しており、吸引送風機の吸引力によって前記火炉ケース１１の外気入口１３から取り入れた外気（乾燥風）を建物の外部へと排出する。
【００２２】
機体１４の各側面板１４Ａ、１４Ｂの下部には、張込ホッパ８４が開閉可能に設けられている。各張込ホッパ８４が開放されることで、穀物乾燥装置１２は、機体１４内へ穀物Ｋを張込み（供給）可能とされている。ここで、シャッタドラム７６から排出された穀物Ｋ又は張込ホッパ８４から張込まれた穀物Ｋは、各張込流し板８０の下端間に流下する。
【００２３】
各張込流し板８０の下端間の下方には、下搬送樋１６が設けられている。下搬送樋１６は、機体１４の内部で水平に延びており、下搬送樋１６の一端部が機体１４の外部（前面板１４Ｃ側）に露出（図１参照）して搬送方向下流側端部とされている。
【００２４】
この下搬送樋１６内には、下スクリュウコンベヤ１８が設けられている。下スクリュウコンベヤ１８は軸方向を水平方向にして配置されており、下スクリュウコンベヤ１８が図３の矢印Ａ方向に回転することで穀物Ｋを下搬送樋１６の他端部（搬送方向上流側端部）側から一端部（搬送方向下流側端部）側へと搬送する。
【００２５】
また、下搬送樋１６の搬送方向下流側端部には、下搬送樋１６の搬送方向下流側端部に連通して連絡部２０が設けられている。この連絡部２０は、下スクリュウコンベヤ１８によって下搬送樋１６の搬送方向下流側端部へと搬送され、跳出板２１によって跳ね出された穀物Ｋを自然流下式に揚穀機２２へと案内する。
【００２６】
揚穀機２２は、略矩形筒状の揚穀塔２４を備えている。揚穀塔２４は、連絡部２０を介して下搬送樋１６と連結されて揚穀塔２４の下端部が連絡部２０に連通している。このため、揚穀塔２４は、下搬送樋１６の搬送方向下流側端部に搬送された穀物Ｋを、連絡部２０を介して受け取ることができる。なお、下搬送樋１６、連絡部２０及び揚穀塔２４が穀物Ｋ搬送用の連通路を構成している。
【００２７】
揚穀塔２４の内部には、下プーリ２６が揚穀塔２４の下部で、軸方向を水平方向にして配置されている。また、揚穀塔２４の内部には、上プーリ２７（図２）も揚穀塔２４の上部で同様に設けられており、これらの下プーリ２６と上プーリ２７との外周には、無端状ベルト２８が巻き掛けられている。さらに、この無端状ベルト２８の外周部分には、複数のバケット３０が等間隔置きに設けられている。また、上プーリ２７には、図示しない駆動装置が連結されており、上プーリ２７は、駆動装置からの駆動力を受けて図２における反時計回り方向（図３の矢印Ｂ方向に相当する）に回転する。このため、上プーリ２７が反時計回り方向に回転することで、無端状ベルト２８が循環すると共に下プーリ２６が反時計回り方向に回転し、バケット３０が揚穀塔２４の下部に供給された穀物Ｋを順次掬い上げる。
【００２８】
また、機体１４の上端には、長尺樋状の上搬送樋８８が設けられており、上搬送樋８８の後端下面は機体１４の前後方向中央部で開放されている。上搬送樋８８内の前端は揚穀塔２４内の上端に連通されており、揚穀塔２４内の上端まで搬送された穀物Ｋが上搬送樋８８内の前端に流下する。この上搬送樋８８内には、上スクリュウコンベヤ８６が設けられている。上スクリュウコンベヤ８６は、軸方向を水平方向にして配置されており、この上スクリュウコンベヤ８６によって、上搬送樋８８内の前端に流下した穀物Ｋが後方へ搬送される。また、上搬送樋８８内の前端は、開閉弁（図示せず）を有する排出口９０とこれに連なる排出管９１に連通されており、開閉弁が開くと上搬送樋８８内の前端に流下した穀物Ｋが排出口９０及び排出管９１を経て循環式の穀物乾燥装置１２から排出される。
【００２９】
また、上スクリュウコンベヤ８６後端の下方には、円盤状の均分機９２が回転可能に設けられている。上スクリュウコンベヤ８６の後端（上搬送樋８８内の後端）に搬送された穀物Ｋが、回転される均分機９２の上面に流下することで、遠心力によってタンク１５内へ均等に放散分配される。この上搬送樋８８も穀物Ｋ搬送用の連通路を構成している。
【００３０】
次に、排塵装置１０について説明する。
【００３１】
穀物乾燥装置１２では、下搬送樋１６及び連絡部２０の上端部が天壁３２によって閉塞されており、この天壁３２に排塵装置１０が取り付けられている。排塵装置１０は底壁のない矩形箱状の風選箱３４（風力選別箱）を備えており、この風選箱３４が、天壁３２に固着されている。風選箱３４は、下搬送樋１６と連絡部２０との連結部分の上方に設けられており、風選箱３４の下方では、天壁３２が開口されている。このため、穀物乾燥装置１２内部と排塵装置１０とが、下搬送樋１６と連絡部２０との連結部分（穀物乾燥装置１２の前側かつ下側）で連通されている。
【００３２】
図４に示されるように、風選箱３４には、多孔ダクト４４及び排塵ダクト４８を介して吸引ブロワ５０（図１）が連結されている。吸引ブロワ５０は、機体１４の後面板１４Ｄ下部に取り付けられている。この吸引ブロワ５０は、下搬送樋１６及び連絡部２０で搬送される穀物Ｋから浮遊分離された塵埃Ｊ（図５）を吸引して、排出ホース５４の排出口５８から排出する。排出ホース５４は、穀物乾燥装置１２を収容している建物の外壁（図示省略）を貫通しており、吸引ブロワ５０の吸引排出力によって塵埃Ｊを上記の建物の外部へと排出する。なお、多孔ダクト４４及び排塵ダクト４８が吸引力調整手段を構成すると共に、同排塵ダクト４８及び排出ホース５４が排塵通路を構成している。そして、吸引ブロワ５０が吸引排出手段を構成している。
【００３３】
ここで、風選箱３４の正面壁３４Ｃは透明とされている（光透過性を有している）。このため、吸引ブロワ５０による塵埃Ｊの吸引状態が風選箱３４の正面壁３４Ｃを介して外部から観察可能とされている。
【００３４】
また、風選箱３４の後面壁３４Ｄ（穀物乾燥装置１２の機体１４側の壁）の上隅部には、多孔ダクト４４が軸方向を水平にして取り付けられている。多孔ダクト４４は、風選箱３４の内部と連通しており、これによって下搬送樋１６と連絡部２０との連結部分と連通している。多孔ダクト４４の周壁には、多数の開口部４６が形成されており、多孔ダクト４４の内部と外部とが連通している。
【００３５】
この多孔ダクト４４は、先端部側が排塵ダクト４８の先端部内に挿入されている。排塵ダクト４８は多孔ダクト４４と同軸的に連結されており、多孔ダクト４４の軸方向に沿って移動可能とされている（図４及び図５の矢印Ｃ参照）。このため、排塵ダクト４８が多孔ダクト４４の軸方向に沿って移動されることで、多孔ダクト４４の開口部４６の開口面積（露出量）を増減させることができる。
【００３６】
排塵ダクト４８の中間部は、図１及び図５に示されるように、揚穀機２２の揚穀塔２４の後面側（揚穀塔２４と穀物乾燥装置１２の機体１４との間）へと取り廻されて、図２に示されるように、機体１４の内下部で側面板１４Ａ付近に配設されている。
【００３７】
排塵ダクト４８の基端部は、前述の吸引ブロワ５０の吸引口に連結されている。このため、多孔ダクト４４の開口部４６の開口面積が増加されると吸引ブロワ５０による塵埃Ｊの吸引力が弱められる一方、開口部４６の開口面積が減少されると吸引ブロワ５０による塵埃Ｊの吸引力が強められる。
【００３８】
また、風選箱３４の内下部の一縁部分（図３において、右側の縁部分）には、板状の案内壁４０が一体に設けられている。案内壁４０は風選箱３４の内下部の一縁部分から多孔ダクト４４の口の下方を通って風選箱３４の対角線方向へと延出しており、案内壁４０の延出方向先端部は、風選箱３４とは接触せずに途中で延出が止まっている。これにより、案内壁４０は、下搬送樋１６と連絡部２０との連結部分から多孔ダクト４４までの穀物Ｋや塵埃Ｊの移動経路を、これら２地点間の直線距離よりも長くし迂回させている。この結果、塵埃Ｊは下搬送樋１６と連絡部２０との連結部分から多孔ダクト４４内へ吸引されるが、穀物Ｋは自重により落下し吸引されてしまうことを抑制している。
【００３９】
一方、風選箱３４の内下部の一縁部分と対向する他縁部分（図３において、左側の縁部分）には、板状の案内壁４２が一体に設けられている。案内壁４２は、風選箱３４の内下部の他縁部分から図３に示される風選箱３４の対角線方向（ほぼ案内壁４０の板厚方向）へと延びており、さらに案内壁４２の中間部４２Ａは、案内壁４０と離間した状態で案内壁４０の延出方向と平行に延びている。さらに、この屈曲された案内壁４２の中間部４２Ａに続く先端部４２Ｂは、略直角に屈曲して風選箱３４の内壁面上部に当接している。
【００４０】
これらの案内壁４０と案内壁４２とは互いに離間しており、ここに縦方向に昇るジグザグ状（葛折状）の屈曲案内路３８が形成されている。
【００４１】
次に、本実施の形態の作用を説明する。
【００４２】
穀物乾燥装置１２内において、穀物Ｋが下スクリュウコンベヤ１８によって下搬送樋１６上で搬送され、下搬送樋１６の搬送方向下流側端部に搬送されると、この穀物Ｋは跳出板２１によって連絡部２０へ跳ね出される。連絡部２０へ跳ね出された穀物Ｋは、自然流下式に揚穀機２２の揚穀塔２４の内下部へと案内される。この揚穀塔２４内では、上プーリ２７が図示しない駆動装置からの駆動力を受けて図３の反時計回り方向（矢印Ｂ参照）に回転することで、無端状ベルト２８が循環すると共に下プーリ２６が反時計回り方向に回転し、バケット３０によって、揚穀機２２の内下部に搬送された穀物Ｋが穀物乾燥装置１２の上部へと掬い上げ搬送される。
【００４３】
このとき、穀物乾燥装置１２に取り付けられている排塵装置１０では、吸引ブロワ５０が駆動し、穀物乾燥装置１２の下搬送樋１６と連絡部２０との連結部分では、跳ね出された穀物Ｋから浮遊分離した塵埃Ｊが、天壁３２に設けられた開口部３６から風選箱３４を介して吸引ブロワ５０に吸引される。この吸引ブロワ５０に吸引された塵埃Ｊは、吸引ブロワ５０からの排気と共に排出ホース５４の排出口５８から排出される。このため、吸引ブロワ５０によって吸引排出された塵埃Ｊは、穀物乾燥装置１２を収容している建物の外部へと排出される。
【００４４】
ここで、吸引ブロワ５０による塵埃Ｊの吸引力を調整する際には、作業者は、風選箱３４の透明な正面壁３４Ｃを通して、吸引ブロワ５０の吸引状態を観察することができる。具体的には、風選箱３４が排塵ダクト４８及び多孔ダクト４４の近傍に設けられているので、作業者は、吸引ブロワ５０による塵埃Ｊの吸引状態を風選箱３４で観察しながら排塵ダクト４８を多孔ダクト４４の軸方向に沿って移動させて多孔ダクト４４の開口部４６の開口面積を調整することで、吸引ブロワ５０による塵埃Ｊの吸引力調整を容易にできる。
【００４５】
また、吸引ブロワ５０によって下搬送樋１６と連絡部２０との連結部分から吸引される塵埃Ｊは、風選箱３４内の屈曲案内路３８を通過するが、このとき、仮に穀物Ｋが吸引ブロワ５０の吸引力によって塵埃Ｊと一緒に屈曲案内路３８を通過しようとしても、穀物Ｋは屈曲案内路３８の案内壁４０及び案内壁４２の少なくとも一方に衝突し、または自重により途中で落下して屈曲案内路３８を通過することが困難である。このため、穀物Ｋが穀物乾燥装置１２の外部に排出されることを抑制できる。このように、穀物Ｋと塵埃Ｊとが屈曲案内路３８によって分離される。従って、吸引ブロワ５０による塵埃Ｊの吸引力を強く設定できる。
（変形例）
以上説明したように本実施の形態では、風選箱３４の正面壁３４Ｃが透明であるとしたが、本発明はこれに代えて、例えば、図６に示されるように、正面壁３４Ｃの代わりとして、光透過性のない正面壁３４Ｅに観察用開口部６０を設けると共に、この観察用開口部６０を透明板材の観察窓６２で閉塞してもよい。このように、外壁部分が不透明な風選箱３４に透明な観察窓６２を設けて、作業者が吸引ブロワ５０による塵埃Ｊの吸引力を観察できるようにしてもよい。
【００４６】
なお、観察用開口部６０及び観察窓６２は、風選箱３４の正面壁３４Ｅに設ける代わりとして、風選箱３４の側壁（例えば、一側壁３４Ｂ）に設けて、作業者が、風選箱３４内での吸引ブロワ５０による塵埃Ｊの吸引状態を観察できるようにしてもよい。
【００４７】
また、本実施の形態では、風選箱３４の正面壁３４Ｃが透明であるとしたが、本発明はこれに代えて、例えば、風選箱３４の外壁部分（外壁）の全てを透明とし、作業者が吸引ブロワ５０による塵埃Ｊの吸引状態を観察できるようにしてもよい。
【００４８】
また、本実施の形態では、排塵装置１０（さらに言えば、風選箱３４）を、揚穀機２２と下スクリュウコンベヤ１８との連結部分の近傍に設けたが、本発明はこれに代えて、排塵装置１０（さらに言えば、風選箱３４）を、例えば、揚穀機２２と上スクリュウコンベヤ８６との連結部分の近傍に設けてもよい。
【図面の簡単な説明】
【００４９】
【図１】本発明の実施の形態に係る排塵装置が穀物乾燥機に取り付けられた状態を示す斜視図である。
【図２】本発明の実施の形態に係る排塵装置が穀物乾燥装置に取り付けられた状態を示す正断面図である。
【図３】本発明の実施の形態に係る排塵装置の要部を示す断面図である。
【図４】本発明の実施の形態に係る排塵装置の要部を示す斜視図である。
【図５】本発明の実施の形態に係る排塵装置の吸引力調整手段を示す断面図である。
【図６】本発明の実施の形態に係る排塵装置の変形例を示す、図４に対応した斜視図である。
【符号の説明】
【００５０】
１０    排塵装置
１２    穀物乾燥装置
１６    搬送樋（連通路）
２０    連絡部（連通路）
２４    揚穀塔（連通路）
３４    風選箱
３４Ｃ  正面壁（風選箱の光透過性を有する部分）
３８    屈曲案内路
４４    多孔ダクト（吸引力調整手段）
４８    排塵ダクト（吸引力調整手段、排塵通路）
５０    吸引ブロワ（吸引排出手段）
５４    排出ホース（排塵通路）
６２    観察窓（風選箱の光透過性を有する部分）
【図１】
2008051385.tif 000003
【図２】
2008051385.tif 000004
【図３】
2008051385.tif 000005
【図４】
2008051385.tif 000006
【図５】
2008051385.tif 000007
【図６】
2008051385.tif 000008